(57)【特許請求の範囲】
【請求項１】
粉砕室の底部に投入された厨芥物を受けて回転する回転板と、前記回転板の周囲に設けられた固定刃と、前記回転板の上面に回動自在に取り付けられた回転刃とを備えたディスポーザーであって、
前記回転刃は、前記回転板の前記上面に回動支点を中心に前記回転刃を枢支する取付部と、前記取付部から前記固定刃に近接するまで延びる刃部とを備え、
前記刃部は複数の刃を有し、
前記各刃の前記回動支点周りの回転モーメントは同一であり、
前記回転モーメントは、前記刃の重量と該刃の重心位置から前記回動支点までのモーメントアームの長さとの積であり、
前記刃部は、前記回転板の回動方向の最前に位置する最前刃と、前記回動方向の前記最前刃より後側に位置する１又は複数の後部刃とを備え、
前記最前刃は前記後部刃よりも軽量であり且つ前記モーメントアームが長いことを特徴とするディスポーザー。
【請求項２】
前記回転刃は、前記刃部が前記固定刃側である外側に開き切り、前記回転刃が前記固定刃に正対した刃部外開状態と、前記刃部が前記固定刃から離間して前記回動支点側である内側に傾斜した刃部内傾状態との間を回動し、
前記最前刃は前記刃部内傾状態において前記回動方向側に突出した突出部で前記厨芥物に接触し、前記後部刃は前記刃部外開状態において前記回動方向に垂直となる垂直部で前記厨芥物に接触することを特徴とする請求項１に記載のディスポーザー。
【発明の詳細な説明】
【技術分野】
【０００１】
本発明は、台所の流し台の下側などに設置され、発生する厨芥物を粉砕して排出するディスポーザーに関する。
【背景技術】
【０００２】
この種のディスポーザーには、粉砕室の底部に投入された生ごみ等の厨芥物を受けるターンテーブル（回転板）と、ターンテーブルの周囲に設けられた固定刃と、ターンテーブルの上面に取付ピンによって回動自在に取り付けられたスイングハンマー（回転刃）とを備えたハンマーミル方式のものが開示されている（例えば特許文献１）。このディスポーザーは、厨芥物を受けたターンテーブルをモーターで高速回動することにより、厨芥物を水とともに遠心力によって固定刃側に移動し、厨芥物をスイングハンマーに接触させながら固定刃に押し付けることで、厨芥物をすり潰して粉砕処理する。
【先行技術文献】
【特許文献】
【０００３】
【特許文献１】特開２００４−２４３２４１号公報
【発明の概要】
【発明が解決しようとする課題】
【０００４】
上記ディスポーザーでは、スイングハンマーはターンテーブルの上面に取付ピンに位置する回動支点を中心に回動自在に取り付けられる取付部と、取付部から固定刃に近接するまで延びたハンマー部たる刃部とから構成され、刃部には単一刃が形成され、スイングハンマーは取付ピンの対角線上の対称位置に２つ配されている。
スイングハンマーは、刃部が取付部よりも重い重量バランスとなるように予め設計され、ターンテーブルの高速回動中にスイングハンマーが厨芥物及び水の衝突の無い自由回動状態となるときには、ターンテーブルの回動に伴う遠心力を受けて、各スイングハンマーの刃部が固定刃側である外側に開き切り、固定刃に正対した回動状態（刃部外開状態）となる。
【０００５】
厨芥物の粉砕初期段階においては、厨芥物は大径であり、多くの固形物の集合体であって柔らかく粉砕され易い傾向にある。この大径厨芥物が固定刃と刃部との間においてターンテーブルに載置された状態でディスポーザーを始動させたと仮定すると、大径厨芥物は固定刃と回転刃との間で挟み込まれる状態となり、スイングハンマーは刃部が固定刃から離間して取付ピン側である内側に傾斜した回動状態（刃部内傾状態）となる。このときには、スイングハンマーはスイングハンマー自体に作用する遠心力によって刃部内傾状態から刃部外開状態に回動しようとして大径厨芥物を固定刃に押圧し、固定刃に押圧された大径厨芥物はより小径の厨芥物に粉砕される。
【０００６】
一方、厨芥物の粉砕終期段階においては、厨芥物は小径であり、少ない固形物の集合体であって骨などを含んで硬く粉砕され難い傾向にある。この小径厨芥物が刃部外開状態で刃部に接触したと仮定すると、小径厨芥物は小径厨芥物自体に作用する遠心力によって固定刃に押し付けられ、更に、小径厨芥物はスイングハンマーが遠心力を受けて刃部外開状態を維持しようとする反力を受け、小径厨芥物は刃部と固定刃との間の僅かな刃間隙間に入り込むような状態となり、固定刃によってより小径の厨芥物にすり潰される。
【０００７】
ここで、粉砕終期段階において粉砕される小径厨芥物が固定刃によってもすり潰され難い硬質小径厨芥物の場合には、当該硬質小径厨芥物が上記刃間隙間に入り込んで粉砕されようとするときの衝撃による反力が刃部に作用する。スイングハンマーがターンテーブルの回動による遠心力を受けて刃部内傾状態から刃部外開状態に回動する回動力よりも上記反力が大きいときには、スイングハンマーは刃部外開状態から刃部内傾状態に回動する。スイングハンマーが刃部内傾状態に回動することにより、刃部と固定刃との間に比較的大きな刃間隙間が形成され、この刃間隙間を硬質小径厨芥物がすり抜け、スイングハンマー位置における厨芥物のいわゆる反動すり抜け現象が生ずるおそれがある。
【０００８】
当該刃間隙間をすり抜けた硬性小径厨芥物は、ターンテーブルの回動によって取付ピンの対角線上の対称位置に配された第２スイングハンマー位置で粉砕可能である。第２スイングハンマー位置でも粉砕されない硬質小径厨芥物は、ターンテーブルの回転によって粉砕室内を一巡し、元の第１スイングハンマー位置まで戻る。この間、刃部に作用する遠心力によってスイングハンマーが刃部内傾状態から当初の刃部外開状態に復帰すれば、再び硬質小径厨芥物を粉砕可能である。こうして、スイングハンマーは硬質小径厨芥物が粉砕されるまで上記一連の刃部外開状態と刃部内傾状態との間の回動状態を繰り返し、スイングハンマーのいわゆる回動繰り返し現象が生ずるおそれがある。
【０００９】
一方、硬質小径厨芥物が第２スイングハンマー位置でも粉砕されず、粉砕室内を一巡して元の第１スイングハンマー位置まで戻る間に、刃部に作用する遠心力によってもスイングハンマーが刃部内傾状態から当初の刃部外開状態に完全に復帰されない場合には、スイングハンマーが刃部内傾状態のままで硬性小径厨芥物に一度も接触することなく刃間隙間をすり抜け、スイングハンマー位置における厨芥物のいわゆる完全すり抜け現象が生ずるおそれがある。
【００１０】
上述したようなスイングハンマーの回動繰り返し現象、及びスイングハンマー位置における厨芥物の反動すり抜け現象及び完全すり抜け現象が発生すると、厨芥物はスイングハンマーの第１スイングハンマー位置では粉砕されず、ターンテーブルによって第２スイングハンマー位置まで、或いは元の第１スイングハンマー位置まで巡回移動してから再度の粉砕が試みられることになるため、厨芥物の粉砕にタイムロスが生じ、厨芥物を効率的に粉砕できないという問題がある。
【００１１】
本発明は上述の事情に基づいてなされたもので、その目的とするところは、スイングハンマーの回動繰り返し現象、及びスイングハンマー位置における厨芥物の反動すり抜け現象及び完全すり抜け現象を抑制し、あらゆる状態の厨芥物であっても、粉砕に要するタイムロスを短縮し、効率的な粉砕を可能とする高性能なディスポーザーを提供することにある。
【課題を解決するための手段】
【００１２】
上記の目的を達成するため、本発明のディスポーザーは、粉砕室の底部に投入された厨芥物を受けて回転する回転板と、回転板の周囲に設けられた固定刃と、回転板の上面に回動自在に取り付けられた回転刃とを備えたディスポーザーであって、回転刃は、回転板の上面に回動支点を中心に回転刃を枢支する取付部と、取付部から固定刃に近接するまで延びる刃部とを備え、刃部は複数の刃を有し、各刃の回動支点周りの回転モーメントは同一であり、回転モーメントは、刃の重量と該刃の重心位置から回動支点までのモーメントアームの長さとの積であり、刃部は、回転板の回動方向の最前に位置する最前刃と、回動方向の最前刃より後側に位置する１又は複数の後部刃とを備え、最前刃は後部刃よりも軽量であり且つモーメントアームが長いことを特徴としている（請求項１）。
【００１４】
好ましくは、回転刃は、刃部が固定刃側である外側に開き切り、回転刃が固定刃に正対した刃部外開状態と、刃部が固定刃から離間して回動支点側である内側に傾斜した刃部内傾状態との間を回動し、最前刃は刃部内傾状態において回動方向側に突出した突出部で厨芥物に接触し、後部刃は刃部外開状態において回動方向に垂直となる垂直部で厨芥物に接触する（請求項２）。
【発明の効果】
【００１５】
本発明によれば、回転刃の刃部が複数の刃を有することにより、１つの回転刃によって厨芥物を段階的に効率良く粉砕することができる。
また、各刃の回動支点周りの回転モーメントは同一であることにより、回転刃の回動支点を基準にした各刃の回転モーメントを釣り合わせることができる。従って、刃部に複数の刃を形成した場合であっても、回転刃の重量アンバランスによって回転刃の回動に支障を来すことを防止することができる。
【００１６】
また、刃部に硬質の小径厨芥物が衝突することによって、固定刃側である外側に開き切り、回転刃が固定刃に正対した回動状態（刃部外開状態）から、刃部が固定刃から離間して取付ピン側である内側に傾斜した回動状態（刃部内傾状態）に回転刃が回動したとしても、回転刃に作用する遠心力によって刃部外開状態に復帰させることができる。従って、回転刃の回動繰り返し現象、及び回転刃位置における厨芥物の反動及び完全すり抜け現象を抑制することにより、厨芥物の粉砕ロスを低減し、効率的な粉砕を行うことで高性能なディスポーザーを提供することができる。
【００１７】
また、回転モーメントは、刃の重量と該刃の重心位置から回動支点までのモーメントアームの長さとの積である。
また、最前刃は後部刃よりも軽量であり且つモーメントアームが長いことにより、粉砕初期段階において回転刃位置に移動した大径厨芥物を軽量且つ長い最前刃と固定刃との間で挟み込んで粉砕することができる。粉砕初期段階における大径厨芥物は多くの固形物の集合体であって柔らかく粉砕され易い傾向にあるため、最前刃が軽量であっても固定刃との間に挟み込んで効率的に粉砕可能である。
【００１８】
一方、後部刃は、最前刃で粉砕された小径厨芥物、或いは、粉砕終期段階に未だ粉砕過程にある硬質小径厨芥物を最前刃に比して重く且つ短い後部刃と固定刃との間ですり潰して粉砕することができる。粉砕終期段階における小径厨芥物は少ない固形物の集合体であって骨などを含んで硬く粉砕され難い傾向にあるため、後部刃が重く短い方が固定刃との間ですり潰しによって効率的に粉砕可能である。従って、回転刃に上記最前刃及び後部刃を設けることにより、１つの回転刃で大径厨芥物、小径厨芥物、及び硬質小径厨芥物を選択的に効率良く粉砕することができるため、ディスポーザーにおける粉砕ロスを更に低減することができる（請求項１）。
【００１９】
また、本発明によれば、最前刃は刃部内傾状態において回動方向側に突出した突出部で厨芥物に接触することにより、厨芥物に作用する遠心力に基づいた固定刃への押圧力と、回転板の回動力に基づいた最前刃による押圧力と、固定刃に厨芥物が接触することによる摩擦力とによって厨芥物を粉砕することができる。最前刃による押圧力は固定刃への押圧力及び摩擦力とは全く異なる方向に作用するため、特に大径厨芥物を効率的に破砕することができる。
【００２０】
一方、後部刃は刃部外開状態において回動方向に垂直となる垂直部で厨芥物に接触することにより、厨芥物に作用する遠心力に基づいた固定刃への押圧力と、回転板の回動力に基づいた後部刃による押圧力と、固定刃に厨芥物が接触することによる摩擦力とによって厨芥物を粉砕することができる。後部刃による押圧力は固定刃への押圧力とは作用方向が逆方向に作用するため、特に小径厨芥物を効率的にすり潰して粉砕することができる。（請求項２）。
【図面の簡単な説明】
【００２１】
【図１】本発明の第１実施形態に係るディスポーザーの要部を示した斜視図である。
【図２】図１のスイングハンマーを上方から示した上面図である。
【図３】図２の各スイングハンマー刃部外開状態となる場合を示したディスポーザーの上面図である。
【図４】厨芥物の粉砕初期段階における図２のディスポーザーの上面図である。
【図５】厨芥物の粉砕終期段階における図２のディスポーザーの上面図である。
【図６】厨芥物の粉砕終期段階において粉砕される小径厨芥物が固定刃によってもすり潰され難い硬質小径厨芥物である場合における図２のディスポーザーの上面図である。
【図７】硬質小径厨芥物が粉砕されようとするときの衝撃による反力が第１刃に作用する場合におけるディスポーザーの上面図である。
【図８】図７のスイングハンマーが刃部内傾状態から刃部外開状態に回動した場合におけるディスポーザーの上面図である。
【発明を実施するための形態】
【００２２】
以下に本発明の第１実施形態に係るディスポーザーについて図面を参照して説明する。
図１は当該ディスポーザー１の要部を示した斜視図である。ディスポーザー１は、台所の流し台の下側などに設置され、発生する厨芥物を粉砕して水とともに図示しない排出管から排出するハンマーミル方式のものである。ディスポーザー１は、図示しない上側ケーシングが連結されるフランジ部２の内側に粉砕室４が形成され、粉砕室４の底部４ａには上側ケーシングから投入された生ごみ等の厨芥物を受けるターンテーブル（回転板）６が配置されている。
【００２３】
ターンテーブル６には、その下側に配された下側ケーシング８内に収容された図示しないモーターの回転軸がターンテーブル６の上面６ａにおいてボルト１２によって連結されている。ターンテーブル６の周囲には粉砕室４の内壁４ｂの周方向に断続的な溝形状をなして形成された固定刃１４が設けられ、ターンテーブル６の上面６ａにはボルト１２を介した対角線上に２つのスイングハンマー（回転刃）１６が取付ピン１８によって回動自在に取り付けられている。
【００２４】
図２はスイングハンマー１６を上方から示した上面図である。スイングハンマー１６はターンテーブル６の上面６ａに取付ピン１８で取り付けられ、取付ピン１８の上面視略中央がスイングハンマー１６の回動支点Ｐとなる。スイングハンマー１６は回動支点Ｐを中心にスイングハンマー１６を枢支する取付部２２と、取付部２２から固定刃１４に近接するまで延びる刃部２４とから構成されている。
【００２５】
図３は刃部２４が固定刃１４側である外側に開き切り、固定刃１４に正対した各スイングハンマー１６の回動状態（刃部外開状態）となる場合を示したディスポーザー１の上面図である。なお、図３は各スイングハンマー１６，１６が同じ姿勢になる状態を示してあり、以下で説明する図４〜図８も同様とする。
ターンテーブル６がモーターの駆動によって反時計回りの回動方向Ａに高速回動することにより、厨芥物はそれ自体に作用する遠心力によって水とともに固定刃１４側に移動される。
【００２６】
各スイングハンマー１６，１６は、刃部２４が取付部２２よりも重い重量バランスとなるように予め設計され、ターンテーブル６の高速回動中にスイングハンマー１６が厨芥物及び水の衝突の無い自由回動状態となるときには、ターンテーブル６の回動に伴う遠心力を受けて図３に示す刃部外開状態となる。そして、厨芥物は厨芥物自体に作用する遠心力によって固定刃１４に押し付けられ、すり潰されて粉砕処理され、ターンテーブル６と固定刃１４との間の隙間に形成された図示しない回収溝を介して水とともに排出管から排出される。
【００２７】
刃部２４は、ターンテーブル６の回動方向Ａの最前に位置する第１刃（刃、最前刃）２６と、ターンテーブル６の回動方向Ａの第１刃２６の後側に位置する第２刃（刃、後部刃）２８とから構成されている。図２に破線で示す想像線を刃部２４の境界線と想定すると、図３に示す刃部外開状態で見て、第１刃２６は上面視で回転方向Ａ側に取付部２２よりも突出した突出部２６ａを有する長板状をなして形成され、第２刃２８は上面視で回動方向Ａに垂直となる垂直部２８ａを有し、固定刃１４側に突出した矩形状をなして形成されている。
【００２８】
第１刃２６及び第２刃２８は、それらの端面が固定刃１４に正対したときの刃間隙間Ｄ、刃高Ｈ（図１に示す）、及び回動支点Ｐ周りの回転モーメントＭ１，Ｍ２が同一に形成されている。図２に示すように、回転モーメントＭ１は、第１刃２６の重量Ｗ１と第１刃２６の重心位置Ｇ１から回動支点Ｐまでの一点鎖線で示すモーメントアームの長さＬ１との積（Ｗ１×Ｌ１）で表される。
【００２９】
一方、回転モーメントＭ２は、第２刃２８の重量Ｗ２と第２刃２８の重心位置Ｇ２から回動支点Ｐまでの二点鎖線で示すモーメントアームの長さＬ２との積（Ｗ２×Ｌ２）で表される。第１刃２６及び第２刃２８の重量にはＷ１＜Ｗ２の関係式が成立し、第１刃２６及び第２刃２８のモーメントアームの長さにはＬ１＞Ｌ２の関係式が成立している。
図４は厨芥物の粉砕初期段階におけるディスポーザー１の上面図である。
【００３０】
この段階においては、厨芥物は大径であり、多くの固形物の集合体であって柔らかく粉砕され易い傾向にある。図４に示すように、この大径厨芥物Ｘ１が固定刃１４と第１刃２６との間においてターンテーブル６に載置された状態で、ディスポーザー１が始動されたと仮定する。このとき、大径厨芥物Ｘ１はターンテーブル６の回動によって大径厨芥物Ｘ１自体に作用する遠心力によって固定刃１４に押し付けられる。
【００３１】
更に、スイングハンマー１６にターンテーブル６の回動による遠心力が作用することにより、刃部２４が固定刃１４から離間して取付ピン１８側である内側に傾斜した回動状態（刃部内傾状態）から図３に示す刃部外開状態にスイングハンマー１６が回動しようとする回動方向Ｂの回動力によって、大径厨芥物Ｘ１は固定刃１４と第１刃２６との間で挟み込まれ、第１刃２６が大径厨芥物Ｘ１に押し付けられる。
【００３２】
すなわち、大径厨芥物Ｘ１は、大径厨芥物Ｘ１に作用する遠心力に基づいた固定刃１４への押圧力Ｆ１（回動支点Ｐから外側への回動法線方向）と、スイングハンマー１６の回動力に基づいた第１刃２６による押圧力Ｆ２（回動支点Ｐから外側への傾斜方向）と、固定刃１４の凹凸に大径厨芥物Ｘ１が接触することによる摩擦力Ｆ３（回動方向Ｂとは逆の逆回動接線方向）とによって、より小径の厨芥物Ｘ２に粉砕される。
【００３３】
図５は厨芥物の粉砕終期段階におけるディスポーザー１の上面図である。この段階においては、厨芥物は小径であり、少ない固形物の集合体であって骨などを含んで硬く粉砕され難い傾向にある。この小径厨芥物Ｙ１が刃部外開状態で第２刃２８に接触したと仮定する。このとき、小径厨芥物Ｙ１はターンテーブル６の回動によって小径厨芥物Ｙ１自体に作用する遠心力によって固定刃１４に押し付けられ、更に、小径厨芥物Ｙ１はスイングハンマー１６がターンテーブル６の回動による遠心力を受けて刃部外開状態を維持しようとする反力を受ける。
【００３４】
すなわち、小径厨芥物Ｙ１は、小径厨芥物Ｙ１に作用する遠心力に基づいた固定刃１４への押圧力Ｆ４（回動支点Ｐから外側への回動法線方向）と、スイングハンマー１６が刃部外開状態を維持しようとする反力に基づいた第２刃２８による押圧力Ｆ５（回動方向Ｂの回動接線方向）と、固定刃１４の凹凸に小径厨芥物Ｙ１が接触することによる摩擦力Ｆ６（回動方向Ｂとは逆の逆回動接線方向）とによって、より小径の厨芥物Ｙ２に粉砕される。
【００３５】
図６は粉砕終期段階において粉砕される小径厨芥物が固定刃１４によってもすり潰され難い硬質小径厨芥物である場合におけるディスポーザー１の上面図である。この硬質小径厨芥物Ｚ１が刃部内傾状態で第１刃２６に刃間距離Ｄ１を有して接触したと仮定する。このとき、図４を用いて説明した大径厨芥物Ｘ１の破砕の場合と同様に、硬質小径厨芥物Ｚ１には、硬質小径厨芥物Ｚ１に作用する遠心力に基づいた固定刃１４への押圧力Ｆ７と、スイングハンマー１６の回動力に基づいた第１刃２６による押圧力Ｆ８と、固定刃１４の凹凸に硬質小径厨芥物Ｚ１が接触することによる摩擦力Ｆ９とが作用する。この３方向の力Ｆ７〜Ｆ９が硬質小径厨芥物Ｚ１に作用したとしても硬質小径厨芥物Ｚ１が粉砕されない場合には、硬質小径厨芥物Ｚ１が粉砕されようとするときの衝撃による反力に基づいた押圧力Ｆ１０が第１刃２６に作用する。
【００３６】
図７は第１刃２６に硬質小径厨芥物Ｚ１による押圧力Ｆ１０が作用した後におけるディスポーザー１の上面図である。スイングハンマー１６がターンテーブル６の回動による遠心力を受けて刃部内傾状態から刃部外開状態に回動する回動力よりも、第１刃２６に作用する押圧力Ｆ１０の回動方向Ｂとは逆の逆回動方向Ｃの分力が大きいと仮定する。このときには、図７に示すように、スイングハンマー１６は逆回動方向Ｃに若干回動し、第１刃２６と固定刃１４との間には図６に示す刃間距離Ｄ１よりも大きな刃間隙間Ｄ２が形成され、刃間隙間Ｄ２を硬質小径厨芥物Ｚ１が一時的にすり抜け可能な状態となる。
【００３７】
図８は硬質小径厨芥物Ｚ１が粉砕されようとするとき、スイングハンマー１６が図７の刃部内傾状態から刃部外開状態に回動した場合におけるディスポーザー１の上面図を示す。上述したように、第１刃２６及び第２刃２８の回動支点Ｐ周りの回転モーメントＭ１，Ｍ２は同一であり、スイングハンマー１６全体として重量バランスがとれていることから、スイングハンマー１６は図７に示す刃部内傾状態から図８に示す刃部外開状態に回動方向Ｂで迅速に回動される。
【００３８】
このときには、図５を用いて説明した小径厨芥物Ｙ１の破砕の場合と同様に、小径厨芥物Ｙ１に作用する遠心力に基づいた固定刃１４への押圧力Ｆ１１と、スイングハンマー１６が刃部外開状態を維持しようとする反力に基づいた第２刃２８による押圧力Ｆ１２と、固定刃１４の凹凸に小径厨芥物Ｙ１が接触することによる摩擦力Ｆ１３とによって、より小径の硬質小径厨芥物Ｚ２にすり潰される。
【００３９】
以上のように本実施形態のディスポーザー１は、スイングハンマー１６の刃部２４が第１刃２６及び第２刃２８を有することにより、１つのスイングハンマー１６によって厨芥物を段階的に効率良く粉砕することができる。具体的には、第１刃２６が第２刃２８よりも軽量であり且つモーメントアームが長いことにより、粉砕初期段階においてスイングハンマー１６位置に移動した大径厨芥物Ｘ１を長い第１刃２６と固定刃１４との間で挟み込んで粉砕することができる。粉砕初期段階における大径厨芥物Ｘ１は多くの固形物の集合体であって柔らかく粉砕され易い傾向にあるため、第１刃２６が軽量であっても固定刃１４との間に挟み込んで効率的に粉砕可能である。
【００４０】
また、第１刃２６を刃部外開状態において回転方向Ａ側に取付部２２よりも突出した突出部２６ａを有する形状とし、第１刃２６を刃部内傾状態で突出部２６ａにおいて大径厨芥物Ｘ１に接触させることで、大径厨芥物Ｘ１に押圧力Ｆ１及び摩擦力Ｆ３に加え、押圧力Ｆ１及び摩擦力Ｆ３とは作用方向が全く異なる押圧力Ｆ２を作用させることができる。従って、初期の粉砕段階として大径厨芥物Ｘ１をより小径の厨芥物Ｘ２に効率的に破砕することができる。
【００４１】
一方、第２刃２８は、第１刃２６で粉砕された小径厨芥物Ｙ１、或いは、粉砕終期段階に未だ粉砕過程にある硬質小径厨芥物Ｚ１を第１刃２６に比して重く且つ短い第２刃２８と固定刃１４との間ですり潰して粉砕することができる。粉砕終期段階における小径厨芥物Ｙ１，Ｚ１は少ない固形物の集合体であって骨などを含んで硬く粉砕され難い傾向にあるため、第２刃２８が重く短い方が固定刃１４との間ですり潰しによって効率的に粉砕可能である。
【００４２】
また、第２刃２８を刃部外開状態において回転方向Ａ側に突出させないで、回転方向Ａに垂直となる垂直部２８ａを有する形状とし、第２刃２８を刃部外開状態で垂直部２８ａにおいて小径厨芥物Ｙ１に接触させることで、小径厨芥物Ｙ１に押圧力Ｆ４及び摩擦力Ｆ６に加え、押圧力Ｆ４と作用方向が逆となる押圧力Ｆ５を作用させることができる。小径厨芥物Ｙ１に作用方向が逆となる２つの力を作用させることで、終期の粉砕段階として小径厨芥物Ｙ１をより小径の厨芥物Ｙ２にすり潰して効率的に粉砕することができる。
【００４３】
また、図６で示す状態において第１刃２６によって１度衝撃を加えられ、３方向の力Ｆ７〜Ｆ９が作用した硬質小径厨芥物Ｚ１は、第２刃２８によってより粉砕され易くなっており、更に第２刃２８を刃部外開状態で小径厨芥物Ｚ１に接触させることで、押圧力Ｆ１１及び摩擦力Ｆ１３に加え、押圧力Ｆ１１と作用方向が逆となる押圧力Ｆ１２を小径厨芥物Ｚ１に作用させることができる。小径厨芥物Ｚ１に作用方向が逆となる２つの力を作用させることで、終期の粉砕段階として小径厨芥物Ｚ１をより小径の厨芥物Ｚ２にすり潰して効率的に粉砕することができる。
【００４４】
このように、スイングハンマー１６に第１刃２６及び第２刃２８を設けることにより、１つのスイングハンマー１６で大径厨芥物Ｘ１、小径厨芥物Ｙ１、及び硬質小径厨芥物Ｚ１を選択的に且つ効率良く粉砕することができるため、ディスポーザー１における粉砕ロスを大幅に低減することができる。
しかも、第１刃２６及び第２刃２８の回動支点Ｐ周りの回転モーメントＭ１，Ｍ２が同一であることにより、スイングハンマー１６の回転支点Ｐを基準にした第１刃２６及び第２刃２８の各回転モーメントＭ１，Ｍ２を釣り合わせることができる。従って、刃部２４に複数の刃を形成した場合であっても、スイングハンマー１６の重量アンバランスによってスイングハンマー１６の回動に支障を来すことを防止することができる。
【００４５】
また、刃部２４に硬質小径厨芥物Ｚ１が衝突することによって、スイングハンマー１６が刃部外開状態から刃部内傾状態に回動したとしても、スイングハンマー１６に作用する遠心力によって刃部外開状態に迅速に復帰させることができる。従って、スイングハンマー１６の回動繰り返し現象、スイングハンマー１６全体における厨芥物の反動すり抜け現象及び完全すり抜け現象を第１刃２６及び第２刃２８で抑制することにより、厨芥物の粉砕ロスを低減し、効率的な粉砕を行うことで高性能なディスポーザー１を提供することができる。
【００４６】
本発明は、上述の各実施形態に制約されるものではなく種々の変形が可能である。
例えば上記実施形態では、刃部２４は第１刃２６及び第２刃２８の２つの刃を有しているが、３つ以上の刃を有していても良い。この場合であっても各刃の回動支点Ｐ周りの回転モーメントＭを同一とし、また、各刃のうちのターンテーブル６の回動方向Ａの最前に位置する最前刃を各刃のうちのターンテーブル６の回動方向の最前刃より後側に位置する複数の後部刃よりも軽量且つ長いモーメントアームとし、最前刃に突出部を形成し、後部刃に垂直部を形成すれば、上述したのと同様に厨芥物の粉砕ロスを低減し、効率的な粉砕を行うことができる。
【００４７】
また、最前刃から後側に位置する複数の後部刃をターンテーブル６の回動方向Ａの順に段階的に重く且つモーメントアームを短くしていき、最前刃に突出部を形成し、各後部刃に傾斜部から段階的に垂直となっていく垂直部を形成すれば、１つのスイングハンマー１６で段階的に効率良く厨芥物を粉砕可能である。
また上記実施形態では、刃部２４は、刃部外開状態で見て、上面視で回動方向Ａに突出した長板形状をなす第１刃２６と、上面視で固定刃１４側に突出した矩形状をなす第２刃２８とから構成されているが、各刃の回動支点Ｐ周りの回転モーメントＭを同一とし、また、上記最前刃を１又は複数の上記後部刃よりも軽量且つ長いモーメントアームとし、第１刃２６に突出部２６ａを形成し、第２刃２８に垂直部２８ａを形成すれば、上述した各刃の形状に限定されない。また、この条件を満たすのであれば各刃の刃間隙間Ｄ、刃高Ｈ、刃先形状を変えても良く、この場合にも上述したのと同様に厨芥物の粉砕ロスを低減し、効率的な粉砕を行うことができる。
【００４８】
また上記実施形態では、第１刃２６及び第２刃２８の重量にはＷ１＜Ｗ２の関係式が成立し、第１刃２６及び第２刃２８のモーメントアームの長さにはＬ１＞Ｌ２の関係式が成立するが、第１刃２６及び第２刃２８の境界を厳密に定めない等の場合には、上記関係式は必ずしも成立しなくても良い。具体的には、第１刃２６に突出部２６ａを形成し、第２刃２８に垂直部２８ａを形成するのであれば、各刃の形状を異ならしめるだけでも良い。また、別材質の混合成型により第１刃２６及び第２刃２８の重量差を出すようにしても良く、この場合にも上述したのと同様に厨芥物の粉砕ロスを低減し、効率的な粉砕を行うことができる。
【符号の説明】
【００４９】
１    ディスポーザー
４    粉砕室
４ａ    底部
６    ターンテーブル（回転板）
６ａ    上面
１４    固定刃
１６    スイングハンマー（回転刃）
２２    取付部
２４    刃部
２６    第１刃（刃、最前刃）
２６ａ    突出部
２８    第２刃（刃、後部刃）
２８ａ    垂直部
【図１】
0005923318.tif 000002
【図２】
0005923318.tif 000003
【図３】
0005923318.tif 000004
【図４】
0005923318.tif 000005
【図５】
0005923318.tif 000006
【図６】
0005923318.tif 000007
【図７】
0005923318.tif 000008
【図８】
0005923318.tif 000009